(57)【要約】【課題】ワンギリやツーギリ、３回切り等の迷惑電話からの着信通知を制限するとともに、コールバックによる被害を防止する。【解決手段】上記目的を達成するために本発明は、ユーザが設定した回数以上着信音が鳴らないか着メロの演奏時間が経過するまでユーザに着信を通知しない。また着信履歴表示には呼び出し音鳴動回数も記録、表示を行う。さらに着信履歴表示から発信する際に、呼び出し音鳴動回数が指定回数以下で電話帳未登録の着信には、自動的に発信者番号非通知１８４を自動付加する。【選択図】　図１
2004056323.tif 000002
【特許請求の範囲】
【請求項１】
情報通信手段と、ユーザに着信を通知する通知手段と、着信の履歴を表示する着信履歴表示手段及び電話番号を登録する電話帳手段とを有する携帯情報端末において、
設定された設定条件を満たすまで、着信時の着信の通知を制限する通知制限手段を有することを特徴とする携帯情報端末。
【請求項２】
請求項１記載の携帯情報端末において、
前記設定条件は、着信鳴動回数、着信鳴動時間又は着信音メロディの演奏時間に関する条件であることを特徴とする携帯情報端末。
【請求項３】
請求項１記載の携帯情報端末において、
前記設定条件は、着信鳴動回数、着信鳴動時間又は着信音メロディの演奏時間に関するもので、かつ、前記電話帳手段に登録されている電話番号の電話機からの着信であることを特徴とする携帯情報端末。
【請求項４】
請求項１記載の携帯情報端末において、
前記設定条件は、着信時間帯又は曜日に応じて複数あることを特徴とする携帯情報端末。
【請求項５】
請求項１記載の携帯情報端末において、
前記着信履歴表示手段は、前記着信の履歴とともに前記着信の中断までの着信鳴動回数、着信鳴動時間又は着信音メロディの演奏時間を記録し表示することを特徴とする携帯情報端末。
【請求項６】
請求項３又は請求項５記載の携帯情報端末において、
前記着信履歴表示手段に表示された着信の履歴を用いて発信する際に、前記設定条件を満たさない場合には、発信者番号を非通知にすることを特徴とする携帯情報端末。
【請求項７】
請求項５記載の携帯情報端末において、
前記着信履歴表示手段に表示された着信の履歴を用いて発信する際に、前記設定条件を満たさず、かつ、前記電話帳手段に未登録の電話番号の電話機からの着信の場合には、発信者番号を非通知にすることを特徴とする携帯情報端末。
【発明の詳細な説明】
【０００１】
【発明の属する技術分野】
本発明は、着信の通知を制限する機能を有する携帯情報端末に関するものである。
【０００２】
【従来の技術】
携帯電話の普及に伴い、「ワン切り」や「ツー切り」、「３回切り」等と呼ばれる迷惑電話の被害が広がっている。これらのトラブルは次に説明する手順で発生する。心当たりの無い電話番号の電話機から電話がかかってきて、ユーザが出る前にすぐに電話を切る。着信履歴からユーザがコールバックして、音声案内等に従って先へ進むと有料番組に接続されて多額の請求メールや電話が来るようになる。また着信履歴からのコールバック時の発番通知（発信者番号）により電話番号悪徳業者のデータベースに登録され、法外な請求書が送付されたり、個人情報をもとに訪問されるようなことがある。このようなトラブルを避けるためのユーザ側の自衛手段としては、着信履歴の見知らぬ番号にはかけ直さないこと、また、誤ってかけ直して案内テープに繋がった場合、案内テープに従わず通話を即座に切ることなどである。
【０００３】
【発明が解決しようとする課題】
従来の技術では、上述のような自営手段をユーザが十分認識した上で、手動で操作する必要があった。従来の携帯電話にも着信拒否手段があるが、指定番号以外の電話番号の電話機、非通知設定から発信、公衆電話などからの着信に対しては、迷惑電話対策に有効ではないという課題があった。
【０００４】
【課題を解決するための手段】
上記課題を解決するため、本発明の携帯情報端末は、情報通信手段と、ユーザに着信を通知する通知手段と、着信の履歴を表示する着信履歴表示手段及び電話番号を登録する電話帳手段とを有し、さらに、着信鳴動回数、着信鳴動時間や着信音メロディの演奏時間等の設定条件を満たすまで、着信時の着信の通知を制限する通知制限手段を有するようにしたものである。
【０００５】
【発明の実施の形態】
以下、本発明の実施形態を図面により説明する。図１は本発明の一実施例による携帯情報端末での、着信時の着信通知実行と着信履歴保存のフローチャートである。１０１は呼び出し鳴動回数、鳴動時間もしくは着信メロディ演奏時間等の設定値を予め登録しておくことを示すものである。この設定値は携帯端末上でユーザが任意の値を設定したり、変更できるものとする。例えば、呼び出し鳴動回数が１回の着信（ワンギリ）に対しては着信通知を行わないようにする場合は設定値を１にする。あるいは着信メロディ演奏時間が１秒以下の着信に対しては着信通知を行わないようにする場合は設定値を１にする。同様に、呼び出し鳴動回数が２回の着信に対しては着信通知を行わないようにする場合は設定値を２に、着信メロディ演奏時間が２秒以下の着信に対しては着信通知を行わないようにする場合は設定値を２にする。つまりこの設定値が迷惑コールとそうでないものを区別する閾値となる。
【０００６】
１０２で示すように情報携帯端末に着信がかかった時、従来の携帯情報端末ではすぐに呼び出し音を鳴らすか、呼び出し振動を発して着信をユーザに通知する。一方、本発明による携帯情報端末に着信がかかった時には、１０３で対象となる設定値（呼び出し鳴動回数、時間もしくは着信メロディ演奏時間で、以下、ユーザ設定値と略す）をカウントし、１０４でユーザ設定値以上か判定を行い、該設定値以上であれば迷惑コールでないと判定して、１０５で着信通知を実行する。ユーザが応答する前に先方から着信中断された場合には、１０８の着信履歴保存処理に進む。１０４で対象となる設定値がユーザ設定値以下の場合は、１０６で継続して着信中か着信中断の判断を行い、着信継続の場合は１０３へ戻り設定値のカウントを進める。１０６で着信中断が認められた場合は１０８に進む。１０８の着信履歴保存では、従来の携帯情報端末と同じように受信日時、電話番号、送信者名のいずれかあるいは全部の情報の保存に加えて、本発明による携帯情報端末では、着信を中断するまでの対象値カウント数（呼び出し鳴動回数、時間もしくは着信メロディ演奏時間）をメモリ等の記憶手段に保存する。保存した各情報は１０９で表示処理を行う。
【０００７】
上記１０４の判定処理を行うことにより、着信時にユーザが設定した回数以上着信音が鳴らないか、または、着メロの演奏時間が経過するまでユーザに着信を通知しない手段を実現することができる。従って、この手段を用いることにより、「ワン切り」や「ツー切り」、「３回切り」等の迷惑電話や間違い電話等に対する着信通知を制限できる。また、着信履歴には着信を中断するまでの対象値カウント数（呼び出し鳴動回数、時間もしくは着信メロディ演奏時間）を記録し、表示するので、不審電話の可能性があるものであるかを判定できる。
【０００８】
図２は、本発明による携帯情報端末において、着信履歴からコールバック発信処理を行う場合のフローチャートである。２０１は着信履歴からコールバック発信を実行することを示し、この時２０２にて上記記載の対象値カウント数の判定を行い、対象値カウント数がユーザ設定値以上であれば、迷惑目的の相手ではないとみなして２０５の番号通知にて発信を行う。対象値カウント数がユーザ設定値以下で、２０３の電話帳登録確認を行う設定で、なおかつ内蔵電話帳登録番号であった場合も、迷惑目的の相手ではないとみなして２０５の番号通知にて発信を行う。一方、対象値カウント数がユーザ設定値以下で、２０３の電話帳登録確認を行わない設定の場合は、迷惑目的の相手の可能性があるとみなして、コールバック時に発信番号非通知１８４を自動的に付加して２０５の発呼を行う。また、対象値カウント数がユーザ設定値以下で、２０３の電話帳登録確認を行う設定で、なおかつ内蔵電話帳登録に無い番号の場合にも、迷惑目的の相手の可能性があるとみなして、コールバック時に発信番号非通知１８４を自動的に付加して２０５の発呼を行う。このようにすることで、区別のつけにくいユーザが記憶にない番号や初めての着信相手からの電話と、迷惑電話の可能性のある不審電話との区別ができ得る。尚、電話帳登録番号との比較を行うか否かの設定もユーザが選択できるものとする。図２の２０２、２０４の判定処理を行うことにより、着信履歴で怪しい番号にコールバックする場合、不用意に発信番号を通知してしまうことが避けられる。
【０００９】
図３は、本発明による携帯情報端末において、着信時に過去の着信来歴から発信相手を判定して、着信通知方法を区別する処理のフローチャートである。情報携帯端末に着信がかかった際（３０１）、着信番号が本発明による携帯情報端末のメモリ等に記憶した過去の着信来歴リストの中にあり、対象値（呼び出し鳴動回数、鳴動時間、もしくは着信メロディ演奏時間）がユーザ設定値以上であれば、迷惑目的の相手ではないと判断して通常発信音もしくは通常着信表示（３０５）を行う。該着信番号が過去の着信来歴リストにないか、リストにあってもユーザ設定値以下の場合で、３０３の電話帳登録確認を行う設定で、なおかつ内蔵電話帳登録番号であった場合も、迷惑目的の相手ではないと判断して通常発信音もしくは通常着信表示（３０５）を行う。一方、該着信番号が過去の着信来歴リストにないか、リストにあってもユーザ設定値以下の場合で、３０３の電話帳登録確認を行わない設定の場合、不信電話の可能性のある相手と判断し、３０６でユーザが不信と判断できる着信音もしくは、画面背景色や表示方法を変える等の着信表示を行う。また、該着信番号が過去の着信来歴リストにないか、リストにあってもユーザ設定値以下の場合で、３０３の電話帳登録確認行う設定の場合、なおかつ内蔵電話帳登録に無い番号の場合にも、身元の判明していない不信電話の可能性のある相手と判断し、３０６ユーザが不信と判断できる着信音もしくは、画面背景色や表示方法を変える等の着信表示を行う。尚、図２の説明と同様に、電話帳登録番号との比較を行うか否かの設定もユーザが選択できるものとする。図３の３０２、３０４の判定処理を行うことにより、着信履歴で怪しい番号からの着信応答を区別することができる。
【００１０】
図１の説明の中では、予め設定しておく呼び出し鳴動回数、鳴動時間又は着信メロディ演奏時間等の設定値は固定値を登録して閾値にするように記載したが、この値は一つの値に固定するものではなく、複数の値を登録できるようにすることも考えられる。例えば着信時の時間帯や曜日等に応じて設定値を変えるようにすることにより、昼間は着信通知を実行するまでの閾値を２にしておき、２２時移行には閾値を５、２４時移行６時までは閾値を１０に設定すれば、迷惑電話に煩わされることが少なくなる。
【００１１】
【発明の効果】
以上説明したように、本発明によれば、迷惑コールに対して呼び出ししないようになり、着信履歴で怪しい番号を区別できるようにする。また着信履歴で怪しい番号に、かけなければならない場合、発信者を自動的に非通知設定にし、不用意に発信番号を通知してしまうことが避けられる。さらに、迷惑コールの疑いの高い番号を，着信時に着信履歴あるいは迷惑コール履歴から区別できるようになる。
【図面の簡単な説明】
【図１】本発明の一実施例による携帯情報端末での着信時の着信通知実行と着信履歴保存のフローチャートである。
【図２】本発明の一実施例による携帯情報端末での着信履歴からの発信処理のフローチャートである。
【図３】本発明の一実施例による携帯情報端末での過去着信来歴による着信通知の区別のフローチャートである。
【図１】
2004056323.tif 000003
【図２】
2004056323.tif 000004
【図３】
2004056323.tif 000005